(57)【要約】【課題】光源導線の固定用に使用するのに適した光源導線用固定装置の提供。【解決手段】固定装置は、取付部、保持部、および電線突出部を備えている。取付部と保持部は共にバックライトモジュールへの光源導線に取付けられていると共に、電線突出部は取付部と保持部との間に接続されて光源導線を保持している。電線突出部は、光源導線を突出させる電線出口を備えている。固定装置は、バックライトモジュールの鉄フレーム組立中に光源導線が外れることを防止して製品歩留りを向上させる。【選択図】  図３Ｂ
2004227862.tif 000002
【特許請求の範囲】
【請求項１】
発光面と、この発光面に対向する底面とを有するバックライトモジュールでの使用に適した固定装置であって、
発光面および底面のうちの一方に取付けられている取付部と、
バックライトモジュールの発光面および底面のうちの他方に取付けられている保持部と、
取付部と保持部との間を接続する電線突出部であって、電線出口を有する電線突出部と、
を備えている固定装置。
【請求項２】
光源導線を有するバックライトモジュールと、
バックライトモジュールに取付けられて、これとの間に光源導線を保持する光源導線用固定装置であって、この光源導線を通過突出させる電線出口を有している固定装置と、
を備えている平面状光源。
【請求項３】
発光面と、対向する底面と、配線側面とを備えたバックライトモジュールに適用可能な光源導線用固定装置であって、
発光面または底面に取付けられている取付部と、
配線側面に取付けられている電線突出部であって、電線出口を有する電線突出部と、
を備えている固定装置。
【請求項４】
配線側面から突出する光源導線を有するバックライトモジュールと、
バックライトモジュールに取付けられて、これとの間に光源導線を保持する光源導線用固定装置であって、この光源導線を通過突出させる電線出口を有している固定装置と、
を備えている平面状光源。
【請求項５】
請求項４に記載の平面状光源であって、固定装置がバックライトモジュールの１つの面に取付けられた取付部と、
取付部に接続された電線突出部であって、電線出口を有している電線突出部と、
を更に備えている平面状光源。
【発明の詳細な説明】
【０００１】
【発明の属する技術分野】
本発明は、一般的にはバックライトモジュールに関し、より詳しくはバックライトモジュールの光源導線用固定装置に関する。
【０００２】
【従来技術】
液晶ディスプレイ（ＬＣＤ）は最近広く応用されている。駆動技術の向上によって実現されたより低い電力消費、薄型軽量の本体、低い駆動電圧などの利点によって、液晶ディスプレイは、ビデオカメラ、ノート型コンピュータ、デスクトップコンピュータ、および様々な種類の投影機器に応用されている。
【０００３】
一般に見受けられる液晶ディスプレイは薄膜トランジスタ液晶ディスプレイ（ＴＦＴ−ＬＣＤ）を備えている。液晶ディスプレイ自身は発光しないので、画像を表示するためにはバックライトとして白色光源が必要である。薄膜トランジスタ液晶ディスプレイにしばしば使用される光源としては冷陰極蛍光管（ＣＣＦＴ：ｃｏｌｄ  ｃａｔｈｏｄｅ  ｆｌｕｏｒｅｓｃｅｎｔ  ｔｕｂｅ）や熱陰極蛍光管（ＨＣＦＴ：ｈｏｔ  ｃａｔｈｏｄｅ  ｆｌｕｏｒｅｓｃｅｎｔ  ｔｕｂｅ）が挙げられるが、両方とも低圧水銀型である。ランプ管の典型的な構造では、両側に電極が設けてある。蛍光体（Ｒ、Ｇ、Ｂ）がその内壁に塗布されており、水銀蒸気と或る種の希ガスとがその中に充填されて密閉されている。２つの電極に電圧を印加すると加速電子が発生し、水銀原子と希ガス原子とに衝撃を加えて励起状態にする。励起された水銀原子と希ガス原子とが基底状態に戻る際には紫外光が放出される。次いで、紫外光は内壁に衝突して白色光を発生する。全ての種類の光源に関して、バックライトモジュールの組立中に電圧を印加するために光源の導線を引き出さなければならない。
【０００４】
図１Ａおよび図１Ｂにバックライトモジュールの模式図を示す。バックライトモジュール１００は、発光面１１０、底面１２０、配線側面１９０、および溝１４０を備えている。バックライトモジュール１００の鉄フレーム組立工程中に光源導線１３０がバックライトモジュール１００の溝１４０に取付けられて組立が完了する。しかし、薄型軽量の液晶ディスプレイを製造する傾向にあるので、光源導線１３０の固定は不安定となりバックライトモジュール１００から外れ易くなっている。従って製品歩留りが低い。
【０００５】
【発明が解決しようとする課題】
本発明は、バックライトモジュールでの使用に適した光源導線用固定装置を提供する。バックライトモジュールは発光面および対向する底面を備えている。光源導線の固定装置は取付部、保持部、および電線突出部を備えている。取付部はバックライトモジュールの発光面または対向底面に取付けられている。電線突出部は取付部と保持部とを接続している。電線突出部は、光源導線をバックライトモジュールの外に延在させるための電線出口を備えている。保持部、電線突出部、および取付部が支持構造体を構成しており、保持部は光源導線を固定装置とバックライトモジュールとの間に保持している。
【０００６】
【課題を解決するための手段】
本発明の一実施例では、光源導線の固定装置の材料は厚さ約０．１ｍｍのＳＵＳ系列の金属材料を備えている。取付部およびバックライトモジュールはねじまたは接着剤を用いて取付けられている。ねじを使用する場合には、ねじをねじ込むための穴が取付部に形成されている。接着剤を使用する場合には、接着剤などの接着材料を取付部とバックライトモジュールとの間に塗布すれば良い。
【０００７】
本発明は、発光面と、この発光面に対向する底面と、配線側面とを備えているバックライトモジュールに適用可能な光源導線用固定装置を更に提供する。光源導線用固定装置は取付部と電線突出部とを備えている。取付部はバックライトモジュールの発光面または底面に取付けられている。電線突出部は取付部に接続されていると共に配線側面に取付けられている。電線突出部は光源導線を突出させる電線出口を備えている。
【０００８】
本発明の一実施例では、光源導線の固定装置の材料は厚さ約０．１ｍｍのＳＵＳ系列の金属材料を備えている。取付部はねじまたは接着剤を用いてバックライトモジュールに取付けられている。ねじを使用する場合には、ねじを締込むための穴が取付部に形成されている。接着剤を使用する場合には、接着剤などの接着材料を取付部とバックライトモジュールとの間に塗布すれば良い。
【０００９】
更に、光源導線の固定装置とバックライトモジュールとが平面状光源を構成している。光源導線は熱収縮チューブまたは絶縁テープで被覆されており、固定装置または鉄フレームによって損傷することが防止されている。
【００１０】
【発明の実施の形態】
図２Ａは本発明の一実施例における光源導線の斜視図であり、図２Ｂ、図２Ｃおよび図２Ｄは、それぞれ、その上面図、側面図、および前面図である。図の寸法は、適用するバックライトモジュールに整合するものとする。異なる大きさのバックライトモジュールに適用する際には寸法の変更が必要である。図２Ａに示したように、光源導線の固定装置２００は、取付部２１０、保持部２２０、および電線突出部２３０を備えている。取付部２１０はバックライトモジュールに取付けられている。保持部２２０もバックライトモジュールに取付けられており、光源導線がバックライトモジュールと固定装置２００との間に保持されている。電線突出部２３０は取付部２１０と保持部２２０とに接続されている。電線突出部２３０は電線出口２４０を備えており、ここから光源導線がバックライトモジュールの外へ延在できる。電線出口２４０の大きさは、突出する必要のある光源導線の数によって決定される。組立を容易にするために、その大きさは光源導線の端子より大きいことが好ましい。この実施例では、電線出口は電線突出部２３０から下方向に、取付部２１０に向かって延展しており充分なスペースが確保されている。光源導線の端子が更に大きい場合には、電線出口２４０が取付部２１０を分割するように更に延展して組立を容易にすることができる。
【００１１】
光源導線の固定装置２００は、例えば、ＳＵＳ系列の金属材料から一体で成形されている。固定装置２００の厚みは約０．１ｍｍである。固定装置２００をバックライトモジュールに取付ける方法としては、取付部２１０に成形した穴２５０を通してねじ込むねじを使用することが挙げられる。または、ねじを使用する代わりにその間に接着剤を塗布することによって固定装置２００をバックライトモジュールに接着することもできる。
【００１２】
図３Ａには、図２Ａに示した固定装置２００とバックライトモジュール３００とから組立てた平面状光源３０５を示す。図３Ｂは、図３Ａに示した平面状光源３０５の電線突出部の拡大図である。図３Ｃには、図３Ｂの反対側の側面を示す。バックライトモジュール３００は、発光面３１０、底面３２０、配線側面３９０、および溝３４０を備えている。バックライトモジュールの白色光は発光面３１０から均一に放出される。光源導線３３０は配線側面３９０に沿った溝３４０内に位置するだけでなく、図２Ａに示したように固定装置２００によって更に固定されており、外力によって外れたり破断することが防止されている。光源導線３３０が損傷して高電圧がリークすることを防止するためには保護用の熱収縮性チューブ３５０を用いている。絶縁テープやその他の類似の材料を用いて同じ機能を持たせても良い。図３Ｃでは、ねじ３６０を用いて固定装置２００をバックライトモジュールに取付けている。
【００１３】
図４Ａは、本発明の別の実施例における光源導線用固定装置の上面図である。図４Ｂは図４Ａの側面図であり、図４Ｃは図４Ａの前面図である。同様に、固定装置の寸法はバックライトモジュールの大きさに整合していなければならない。固定装置は取付部４１０と電線突出部４２０とを備えている。取付部４１０を用いて固定装置をバックライトモジュールに取付けている。電線突出部４２０は取付部４１０に接続されていると共に、図３Ａに示したようにバックライトモジュールの配線側面３９０に取付けられている。電線突出部４２０は、光源導線を外に出すための電線出口４３０を備えている。同様に、電線出口４３０の大きさは突出させる配線の必要量によって決定される。
【００１４】
固定装置は、例えば、ＳＵＳ系列の金属材料から一体で成形されている。固定装置の厚みは、約０．１ｍｍである。図４Ａ〜図４Ｃでは固定装置とバックライトモジュールとを取付けるために接着剤を使用しているので、取付部４１０には穴がない。組立を容易にするための裏面接着剤はオプションである。
【００１５】
【発明の効果】
上述の説明から、バックライトモジュールのこの光源導線用固定装置は少なくとも次の利点を有する。すなわち、
【００１６】
１．鉄フレームの組立工程中に導線が外れることが防止されて製品歩留りが向上する。
【００１７】
２．外力による破断が防止される。
【００１８】
３．光源導線の損傷によって生じる高電圧リークの危険性が防止される。
【００１９】
本明細書に開示した本発明の明細と実例とを考慮すれば、当業者は本発明のその他の実施例を考案できよう。本明細書および実施例は例示に過ぎないのであり、実際の本発明の範囲と精神とは以下の特許請求範囲に示してある。
本発明の上述の特徴およびその他の特徴は図面を参照することによってより明確になる。
【００２０】
【図面の簡単な説明】
【図１Ａ】バックライトモジュールの模式図である。
【図１Ｂ】図１Ａに示したバックライトモジュールの電線突出位置を示す図である。
【図２Ａ】本発明の一実施例における光源の導線用の固定装置を示す図である。
【図２Ｂ】図２Ａの上面を示す図である。
【図２Ｃ】図２Ａの側面を示す図である。
【図２Ｄ】図２Ａの前面を示す図である。
【図３Ａ】本発明の一実施例に係る平面状光源装置を示す図である。
【図３Ｂ】図３Ａに示した平面状光源のバックライトモジュールの電線突出位置の拡大図である。
【図３Ｃ】図３Ｂの反対側の側面を示す図である。
【図４Ａ】本発明の別の実施例における固定装置の上面図である。
【図４Ｂ】図４Ａに示した固定装置の側面図である。
【図４Ｃ】図４Ａに示した固定装置の前面図である。
【符号の説明】
１００            バックライトモジュール
１１０            発光面
１２０            底面
１３０            光源導線
１４０            溝
１９０            配線側面
２００            固定装置
２１０            取付部
２２０            保持部
２３０            電線突出部
２４０            電線出口
２５０            穴
３００            バックライトモジュール
３０５            平面状光源
３１０            発光面
３２０            底面
３３０            光源導線
３４０            溝
３５０            熱収縮性チューブ
３９０            配線側面
４１０            取付部
４２０            電線突出部
４３０            電線出口
【図１Ａ】
2004227862.tif 000003
【図１Ｂ】
2004227862.tif 000004
【図２Ａ】
2004227862.tif 000005
【図２Ｂ】
2004227862.tif 000006
【図２Ｃ】
2004227862.tif 000007
【図２Ｄ】
2004227862.tif 000008
【図３Ａ】
2004227862.tif 000009
【図３Ｂ】
2004227862.tif 000010
【図３Ｃ】
2004227862.tif 000011
【図４Ａ】
2004227862.tif 000012
【図４Ｂ】
2004227862.tif 000013
【図４Ｃ】
2004227862.tif 000014